(57)【要約】      （修正有）【課題】ラック加工が生じたときのカット寸法を速やかに算出する寸法読み取り器を提供する。【解決手段】同寸法の幅100ｍｍ、長さは100ｍｍ以上を持った長方形の直尺２本１、２が自在に回動する様、角を基準に幅と同じ正方形の中心点で連結し、更に軸芯と垂直に交わった側辺部分を基準とし両方向に向かって目盛り３を設ける。対称側は軸芯と垂直に交わった側辺部分から中心軸の半径で丸みを設ける。寸法読み取り器の折り曲げ角度の直尺辺交差部分が示す目盛り値は予め２倍表示し、既製ラック幅と対比計算した倍率を表示目盛り値に乗じる事で、実際のラック重複部分のカット寸法を算出するものである。【選択図】図２
2013178267.tif 000002
【特許請求の範囲】
【請求項１】
同寸法の幅100ｍｍ、長さは100ｍｍ以上を持った長方形の直尺２本を、角を基準に幅と同じ正方形の中心点にネジ付きの軸を一方の直尺側に固定し設け、別の直尺は中心に軸用の穴と片辺側に目盛りを設け、直尺２本が自在に回動する様連結した寸法読み取り器である。
【請求項２】
片辺側の目盛りは軸芯と垂直に交わった側辺部分を基準０とし両方向に向かって表示目盛りを付ける。対称側の片辺側部分の外曲げ側に当たる角は、直尺２本とも既設ラック等の曲げ側桁の折り曲げ部に支障なく添え充てる事を可能にさせる中心軸の半径で丸みを設ける。尚、軸には折り曲げ角度と目盛り値を保持させる固定用金具を設けた請求項１の寸法読み取り器。
【請求項３】
寸法読み取り器を折り曲げた時の直尺辺交差部分の示す目盛り値は実際の２分の１である為、表示目盛りは予め２倍表示にし、寸法読み取り器の本体100ｍｍ幅を基準値１に置き換え、既製ラック幅と対比計算された倍率を寸法読み取り器の表示目盛り値に乗じ、実際のラック重複部分のカット寸法を求める請求項１の寸法読み取り器。
【発明の詳細な説明】
【技術分野】
【０００１】
本発明は、ケーブルラック敷設時、ルート変更又は障害物等によるラック加工が生じたときのカット寸法を速やかに算出する寸法読み取り器に関するものである。
【背景技術】
【０００２】
ラック加工は、主にラック本体の敷設高さの変更、両サイドへのラック本体の平行移動である。中でも平行移動する為に斜め加工を施し、元の角度に戻す作業でよく見かけるのは、ラック本体を使って折り重ね組み合わせ、実寸法からカット寸法を求めている事である。又既設ラックの曲がりに合わせる場合は、細かく実寸を既設ラックから測り取っている。
【先行技術文献】
【特許文献】
【０００３】
【特許文献１】特開２０１０−２４８８７６
【発明の概要】
【発明が解決しようとする課題】
【０００４】
解決しようとする問題点は、ラック本体を折り重ね組み合わせ、実寸法からカット寸法を求めている事である。これは現場作業スペースを広く取ってしまい作業効率も悪い。本発明は、これらの問題点を解決する為になされたものである。
【課題を解決するための手段】
【０００５】
同寸法の幅100ｍｍ、長さは100ｍｍ以上を持った長方形の直尺２本を、角を基準に幅と同じ正方形の中心点にネジ付きの軸（４）を直尺（２）に固定し設け、別の直尺（１）は中心に軸用の穴をあけ、直尺２本が自在に回動する様連結した寸法読み取り器である。直尺（１）の片辺側には軸芯と垂直（６）に交わった側辺部分を基準０とし両方向に向かって目盛り（３）を付ける。対称側の片辺側部分の外曲げ側に当たる角は、両方（１，２）ともに既設ラック等の曲げ側桁の折り曲げ部に支障なく添え充てる事を可能にさせる中心軸の半径で丸みを設ける。尚、軸のネジ部には折り曲げ角度と目盛り値を保持させる固定用金具（５）を設けておく。
【０００６】
既製のラックサイズの幅は、粗方100ｍｍ単位でサイズアップされているので、寸法読み取り器本体の幅を100ｍｍとし対比計算しやすくしたものである。尚、寸法読み取り器を折り曲げた時の直尺辺交差部分が示す目盛り値は実際の２分の１の値の為、寸法読み取り器の表示目盛りは予め２倍表示にしておく。角度を測る又は角度を決めた時の直尺辺交差部分が示す目盛り値に、寸法読み取り器の本体100ｍｍ幅を基準値１とし、既設ラック幅又は既製ラック幅と対比計算した倍率を表示目盛り値に乗ずれば、実際のラック重複部分のカット寸法が出る。
【発明の効果】
【０００７】
ラック本体を折り重ねて確認することなく加工寸法を、寸法読み取り器の折れ角度のみで直尺辺交差部分の目盛り値から算出できる。既設ラックの曲がり加工寸法も、寸法読み取り器を既設ラックの桁に添えて折れ角度に合わせ、寸法読み取り器の固定用金具で保持させる事で、目盛り値を確実に読み取れる。
【図面の簡単な説明】
【０００８】
【図１】寸法読み取り器の折り畳まれた状態図
【図２】寸法読み取り器の分解構造斜視図
【図３】寸法読み取り器と既製ラック幅の対比関係図
【図４】既製ラック幅と対比計算された倍率を寸法読み取り器の表示目盛り値に乗じた値が、桁のカット寸法値として表示された値との整合性が見て取れる
【図５】直尺辺交差部分の示す目盛り値は実際の２分の１である為、寸法読み取り器の表示目盛りは予め２倍表示にしておく
【図６】重複部分としてのカットされる寸法部分図
【図７】既設ラック折り曲げ箇所の、寸法を読み取る場合の寸法読み取り器の状態図
【発明を実施するための形態】
【０００９】
図１は、寸法読み取り器の折り畳み状態図であり同寸法の幅100ｍｍ、長さは100ｍｍ以上を持った長方形の直尺（１，２）を、角を基準に幅と同じ正方形の中心点にネジ付きの軸（４）を直尺（２）に固定し設け、別の直尺（１）は中心に軸用の穴をあけ目盛り（３）を設け、直尺２本が自在に回動する様連結した寸法読み取り器である。
【００１０】
図２は、分解構造図で直尺（１）の片辺側には軸芯と垂直（６）に交わった側辺部分を基準０とし両方向に向かって目盛り（３）を付ける。対称側の片辺側部分の外曲げ側に当たる角は、既設ラック等の曲げ側桁の折り曲げ部に支障なく添え充てる事を可能にさせる中心軸の半径で丸みを設ける。従って測定箇所の折り曲げ部の内側・外側を選ばずに添え充てる事が出来る。
【００１１】
図３，４，５は、対比関係の図である。寸法読み取り器本体の幅を100ｍｍとした事は、既製のラックサイズの幅が、粗方100ｍｍ単位でサイズアップされている為で、寸法読み取り器の本体100ｍｍ幅を基準値１に置き換える事ができ、既製ラック幅と対比計算された倍率を寸法読み取り器の表示目盛り値（３）に乗じる事で実際のラック重複部分のカット寸法が求められる。尚、寸法読み取り器を折り曲げた時の直尺辺交差部分の目盛り値は実際の２分の１の値である為、寸法読み取り器の表示目盛りは予め２倍表示にしておく。
【００１２】
図６は、重複部分のカット寸法部分を示したものである。
【００１３】
図７は、既設ラックの加工寸法を調べる時の状態図で、寸法読み取り器を既設ラックの曲げ側桁の折り曲げ部に添え充て、曲がり角度と目盛り値を固定用金具（５）で保持させ読み取る事が出来る。
【符号の説明】
【００１４】
１  １部Ｒ加工され軸用の穴をあけ、目盛り（３）を付けた直尺
２  １部Ｒ加工されネジ付きの軸を固定された直尺
３  軸芯と垂直に交わった部分を基準０とし両方向に向かって表示された目盛り
４  ネジ付きの軸
５  曲がり角と目盛り値を保持させる固定用金具
６  軸芯から側辺への垂直線
【図１】
2013178267.tif 000003
【図２】
2013178267.tif 000004
【図３】
2013178267.tif 000005
【図４】
2013178267.tif 000006
【図５】
2013178267.tif 000007
【図６】
2013178267.tif 000008
【図７】
2013178267.tif 000009